Podtech/llm-jp-corpus-v4-ja_patent huggingface dataset:
(57)【要約】【課題】雪国の積雪の、多さに、屋根の雪降ろしに人手の掛かるのと転落事故などが、無くなる用に良い方法が無いかと、考えました。【解決手段】防水カーペットを使って、熱で、雪を解かす事で、屋根に積雪しない。【選択図】図１
0003129108.tif 000002
【実用新案登録請求の範囲】
【請求項１】
本新案は、雪国の屋根の、積雪を、除雪時に人手の、掛からないように、除雪作業が出来ないか、考えて電機式にして、タイマーと、温度計を、付けて組立式「カセット」で大小の形を屋根に合わせられる
屋根用  雪解けカーペットです。
【考案の詳細な説明】
【技術分野】
【００１】電機式カーペットの防水型で、タイマー、温度計を、付けた、組立式で、大きさや形も自由に変えられる。
【背景技術】
【００２】今日まで、雪国で見かけない。
【考案の開示】
【考案が解決しようとする課題】
【００３】屋根の上に、被せて、熱で雪が積もらない用にする。
屋根に登らなくて済む。
【課題を解決するための手段】防水用カーペットを作り、組立式で大小、コーナーなど、色々な型で屋根の形状に合わせられる。
風対策用フックも付ける。
【考案の効果】屋根に積雪しないし雪下ろしをする
人手もいらない。
【図面の簡単な説明】
【図１】屋根の上にカーペットを被せた所。
【図２】組立式カーペットの所。
【符号の説明】
１          カーペット
２          コードとスィツチ
【図１】
0003129108.tif 000003
【図２】
0003129108.tif 000004
(57)【要約】【課題】室内天井に懸吊する室内空気還流器のスライドフックを、天井にねじ止めする長尺レール枠体内を摺動移動できる摺動コンセントに着脱して空気還流器の設置位置を容易に変えるようにする。【解決手段】下向きとした断面コ型のレール本体内壁両面に、電源コード（２）に接続したコード板線を配設した通電溝と案内溝を設け、これを天井にねじ止めするようにした長尺レール枠体（１）内に、着脱摺動自在に嵌合すべくなした摺動コンセント（３）とスライドフック（４）を、その磁力板（３ａ）と（４ａ）とで互いに着接分離出来るものとなし、スライドフック（４）に空気還流器（５）を懸吊組み合わせた構成を特徴とした。【選択図】図１
0003129107.tif 000002
【実用新案登録請求の範囲】
【請求項１】
下向きとした断面コ型のレール本体内壁両面に、電源コード（２）に接続したコード板線を配設した通電溝と案内溝を設け、これを天井にねじ止めするようにした長尺レール枠体（１）内に、着脱摺動自在に嵌合すべくなした摺動コンセント（３）とスライドフック（４）を、その磁力板石（３ａ）と（４ａ）とで互いに着接分離出来るものとなし、スライドフック（４）に空気還流器（５）を懸吊組み合わせた構成を特徴とした摺動コンセント付帯スライドフックに組み合わせた室内空気還流装置。
【考案の詳細な説明】
【技術分野】
【０００１】  本考案は、室内天井に配設した摺動コンセント着脱のスライドフックに、室内空気還流器を懸吊組み合わせた摺動コンセント付帯スライドフックに組み合わせた室内空気還流装置に関する。
【背景技術】
【０００２】  室内の空気を均一にするため、送風側に送風筒を保持した小型送風機を用いる方法は、例えば特許第３０３２８８６号によって提案されており、（特許文献１）【０００３】  更には、これを天井から吊り下げて、室内空気を還流せしめる吊り下げ型の室内空気還流器は例えば実用新案登録第３１２００１４号によって提案されている。（特許文献２）
【特許文献１】特許第３０３２８８６号
【特許文献２】実用新案登録第３１２００１４号
【考案の開示】
【考案が解決しようとする課題】
【０００４】  本考案は、特許文献１のものを、より効果的に作用せしめるため、天井から下向きに吊り下げて、室内空気を還流せしめるものであるが、特許文献２のものは、天井に配置する位置が固定されるため、邪魔になることもあり、家具に対応して還流器の位置を変える必要がある場合は、その都度付け替え移動することから、手間がかかる工事作業を伴い、工作のため天井に穴をあけたり、見ばえ悪く穴が残ったりするなど問題点があった。【０００５】  又、設置個所が固定されて残るアダプターの差し込みコンセントから、還流器のみを離して移動させるときは、移動距離はアダプターの配線長さに制限され、更に、配線にたるみが生ずるなどの問題点もある。【０００６】  本考案は、天井に下向きに懸吊する空気還流器の位置を、アダプターの差し込みコンセントと共に、移動距離の制限なく自在に移動出来るようにしたもので、工作工事を伴わずに容易に還流器の位置決めを行うようにしたものである。
【課題を解決するための手段】
【０００７】  本考案は、下向きとした断面コ型のレール本体内壁両面に、電源コード（２）に接続したコード板線を配設した通電溝と案内溝を設け、これを天井にねじ止めするようにした長尺レール枠体（１）内に、着脱摺動自在に嵌合すべくなした摺動コンセント（３）とスライドフック（４）を、その磁力板（３ａ）と（４ａ）とで互いに着接分離出来るものとなし、スライドフック（４）に空気還流器（５）を下向きに懸吊組み合わせた室内空気還流装置の構成を特徴とした。【０００８】  レール枠体は、コーナー用には湾曲形状のものとし、必要に応じて継ぎ足して延長させることも出来る。
【考案の効果】
【０００９】  本考案によれば、室内の家具や置物に対応して、天井に下向きに配置した室内空気還流器の位置を移す必要がある場合は、コンセント共々スライドフックを簡単容易に摺動移動して、自在に還流器を位置決めし、室内空気の還流を効果的に現出できる効果があり、コンセントとフックを一体化することにより、還流器を懸吊するフックは、アダプターの差し込みコンセントとの配線長さによる移動距離に制限されることなく自在に移動出来る効果と共に、還流器の取り付け位置を変える度に、その都度付け替えの工事や手間が全く必要なく、取り外しの場合でも、跡を残さずに現状復帰可能となる効果を得たものである。
【考案を実施するための最良の形態】
【００１０】  本考案は、長尺レール枠体（１）に嵌合して一体に摺動移動する摺動コンセント（３）とスライドフック（４）に空気還流器（５）を懸吊組み合わせたものである。【００１１】  即ち、下向きとした断面コ型のレール本体内壁両面に、電源コード（２）に接続したコード板線を配設した通電溝（６）と案内溝（７）を設け、これを天井にねじ止めするようにした長尺レール枠体（１）内に、着脱摺動自在に嵌合すべくなした摺動コンセント（３）とスライドフック（４）を、その磁力板（３ａ）と（４ａ）とで互いに一体に着接又は分離出来るものとなし、スライドフック（４）に空気還流器（５）を懸吊組み合わせた室内空気還流装置の構成を特徴としたものであって、摺動コンセント（３）とスライドフック（４）は、一体化して摺動移動するが、必要によっては、スライドフック（４）を遊離して還流器を懸吊するもよし、長尺レール枠体（１）から離脱もできるようにした。【００１２】  長尺レール枠体（１）は、予め天井の所要の個所にねじ止めしておき、このレール本体のコ型枠内に、摺動コンセント（３）とスライドフック（４）を押し回して嵌合し、磁力板（３ａ）と（４ａ）で一体化するか分離状態で摺動移動せしめる。【００１３】  この場合、懸吊する空気還流器をその荷重に耐えて保持するスライドフック（４）には、摺動コンセント（３）が一体に着接して共に移動するか、分離しても近接して共に移動するので、空気還流器のアダプターの配線長さ内でスライドさせて必要な位置に位置決めした後、空気還流器（５）を懸吊組み合わせる。【００１４】  （８）は、摺動コンセント（３）の摺動端子で、通電溝（６）内に配設したをコード板線（６ａ）に当接しながら電源からの通電接触を保って軽く摺動するものとし、摺動コンセント（３）は、案内溝（７）に嵌合する案内突板（９）で案内され移動する。【００１５】  スライドフック（４）は、案内溝（７）に嵌合するスライド突板（１０）で案内され摺動する。【００１６】  空気還流器（５）は、上部空気を吸引する小型送風機（ａ）の上方に防塵フィルター（ｂ）を配して麈埃を除去するものとし、当該防塵フィルター（ｂ）上に脱臭除菌等の薬剤（ｃ）を収納し、室内空気を浄化するものである。
【図面の簡単な説明】
【００１７】
【図１】本考案の側面図である。
【図２】本考案の要部斜視図である。
【符号の説明】
【００１８】１  長尺レール枠体
２  電源コード
３  摺動コンセント
４  スライドフック
３ａ  磁力板
４ａ  磁力板
５  空気還流器
６  通電溝
７  案内溝
８  摺動端子
９  案内突板
１０  スライド突板
ａ  小型送風機
ｂ  防塵フィルター
ｃ  薬剤
【図１】
0003129107.tif 000003
【図２】
0003129107.tif 000004
(57)【要約】【課題】太陽の陽射しから目を守る従来のめがねに取り付ける日よけ板は日よけ板の素材以外の素材、金具、バネなどを使用して１ケ所または２ケ所めがねに固定するため、製造にコストがかかり、装飾具なのに取り付け具が目立つなどデザイン制限が多い。【解決手段】日よけ板の１と２の穴にめがねの左右のつるを通し、センター部分のフック３をめがねの鼻あてにひっかけ３点で固定することで、１つ１つは簡素な固定方法が可能になり従来より製造コストを下げると共に、日よけ板のデザイン制限を少なくする。【選択図】図２
0003129109.tif 000002
【実用新案登録請求の範囲】
【請求項１】
めがねのつる部を通し固定する穴を左右に１つづつと、めがねの鼻あて部にひっかけ固定するフック部とを備えた板状のめがね用取り付型、日よけ板。
【考案の詳細な説明】
【技術分野】
【０００１】  本考案はめがねに取り付ける日よけ板に関する
【背景技術】
【０００２】  従来のめがね用取り付け日よけ板は、金具、バネなど他素材の取り付け具を使用して１ケ所または２ケ所でめがねに固定していた。
【考案の開示】
【考案が解決しようとする課題】
【０００３】  しかし、これでは製造にコストがかかる上、装飾具なのに取り付け具が目立つなどデザイン制限が多い。
【課題を解決するための手段】
【０００４】  そこで日よけ板にめがねのつるをそれぞれに通して固定する左右の穴と、めがねの鼻あて部にひっかけ固定するフック部を持つめがね用取り付け型、日よけ板を考案した（図１）この日よけ板は一素材で出来るため製造コストが少なく、フォルムにも制限が少なく、色々な形にデザインできる。
【考案の効果】
【０００５】  よって本考案のめがね用取り付け型、日よけ板は、色々な形のデザインがローコストにてできることにより、めがねの使用者が場所や時に応じた色々な日よけ板を選び、取り付けて使用できる。
【考案を実施するための最良の形態】
【０００６】  本考案に係るめがね用取り付け型、日よけ板１０は図１に示すようにめがねのつる部分をさしこむ穴、１と２を備えている。そしてこの１と２のまん中あたりに鼻あてをひっかけ固定するフック部分３を備える。１と２の間隔はめがねのフレームの左右の長さの１．５倍から２倍ぐらいの長さがよく、素材は０．５ｍｍ厚ぐらいの板状のＵＶ塩ビ等を打ち抜き形成する。
【図面の簡単な説明】
【０００７】
【図１】  本考案に係るめがね用取り付け型、日よけ板の天面図と正面図である。
【図２】  本考案に係るめがね用取り付け型、日よけ板をめがねに設置した立面図である。
【符号の説明】
【０００８】  １  めがねのつるを通す穴。
２  めがねのつるを通す穴。
３  めがねの鼻あて部にひっかけるフック。
１０  めがね用取り付け型、日よけ板。
２０  めがね。
【図１】
0003129109.tif 000003
【図２】
0003129109.tif 000004
(57)【要約】      （修正有）【課題】食生活の変化に対応したファーストフード感覚で、例えば野球やサッカー等のスポーツ観戦、縁日やイベント等の屋外において簡単・手軽に片手で食することができる串刺しおでん食品を提供する。【解決手段】予め調理味付けされた複数個のおでん具材２を一口大にカットし、当該複数個のおでん具材を串刺し、味付け調味液４とともに包装材によりパックするように構成した。【選択図】図１
0003129104.tif 000002
【実用新案登録請求の範囲】
【請求項１】
予め調理味付けされた複数個のおでん具材を一口大にカットし、当該複数個のおでん具材を棒状体に串刺し、味付け調味液とともに包装材によりパックしたことを特徴とする串刺しおでん食品。
【考案の詳細な説明】
【技術分野】
【０００１】
本考案は、予め調理加工された串刺しおでん食品に関するものである。
【背景技術】
【０００２】
従来、串に刺した食品として「焼き鳥」「焼き豚」などの畜肉製品や「だんご」の菓子製品の他、イカ、たこ、ほたて貝などの「水産物」を串に刺して加熱して喫食する食品が知られている。これらの食品の食材は、未調理か、あるいは一時加工した食材を予め串に刺して準備しておき、喫食する際にそのまま加熱調理するものである。
【０００３】
一方、おでん食品は各種の食材を加熱調理すると共に、調味液中において一定時間煮込みながら味が滲みこむように加熱調理して喫食するものである。そして、喫食に際してはおでん食品と共に各種のおでん食材から甘みが抽出したおでん汁をも併せて喫食するのが一般的である。
【０００４】
そのために従来のおでん食品はおでん収納容器中におでん具材とおでん汁とをともに密閉封入して製造されている（例えば、特許文献１参照）。そして、喫食に際しては密封された収納容器ごと加熱調理して温めて食するか、あるいは別の鍋などに移して加熱調理して器に盛りつけて食するというものである。
【特許文献１】特開平６−２５３７９１号公報
【考案の開示】
【考案が解決しようとする課題】
【０００５】
上記従来のおでん食品は、予め調理されて収納容器に収納されているので、喫食する際に電子レンジなどで加熱して温めるだけでよいので、商品の流通性がよく簡便であるという利点を有している。
【０００６】
しかしながら、このような電子レンジ対応のおでん食品は、温めるために電源を必要とする関係からもっぱら家庭内や店舗内などの屋内での喫食を目的としたものであり、屋外での喫食には不適切であるというものであった。そのためにおでん食品としてイベントや縁日などの屋外では取り扱うことができないという課題を有していた。
【０００７】
一方、イベント観戦、スポーツ観戦や演芸などの観劇、あるいは縁日などの屋外において、特に近年の食生活の変化に伴い、歩きながら食したりする機会も多く簡便に喫食することができる串刺し食品が取り扱われている。上記のおでん食品も屋外で取り扱われることがあっても、喫食するに際しておでん食品を器にあけて、箸やフォーク等の用具とを両手にもって食することとなることから、不安定にならざるを得ないという課題を有していた。
【０００８】
本考案は、上記従来の課題を解消しようとするもので、屋外でも電源を必要とすることなく簡単に湯中で温めることができ、しかも片手で持ちながら簡単に喫食することができる串刺しおでん食品を提供することを目的としている。
【課題を解決するための手段】
【０００９】
本考案は上記のような課題を解消しようとするもので、次のような手段を講じたものである。
【００１０】
登録を受けようとする考案は、予め調理味付けされた複数個のおでん具材を一口大にカットし、当該複数個のおでん具材を串刺し、味付け調味液とともに包装材によりパックしたことを特徴とする串刺しおでん食品である。
【考案の効果】
【００１１】
本考案によれば、調理味付けされたおでん具材と味付け調味液とが包装材により個別にパックされているので、屋外においても湯中加熱することにより簡単に温めることができると共に、食生活の変化に対応したファーストフード感覚で、例えば野球やサッカー等のスポーツ観戦、縁日やイベント等の屋外において簡単・手軽に片手で食することができる。
【考案を実施するための最良の形態】
【００１２】
以下、図面に示す本考案を実施するための最良の形態により、本考案を詳細に説明する。
【００１３】
本考案を実施するための最良の形態において、図１は本考案に係る串刺しおでん食品の平面図である。
【００１４】
図において、１は包装材であり、１ａ，１ｂ，１ｃは熱溶着部である。この包装材１は、例えば耐熱性ポリエチレンフィルムやポリプロピレンフィルム等により形成されている。２はおでん具材であり、図示の実施例においては、厚揚げ２ａ、コンニャク２ｂ、大根２ｃ、ちくわ２ｄ、ゴボウ巻き２ｅが選択されている。これらのおでん具材２は、予め各種の具材ごとに個別に味付け調理され、略一口大の大きさにカットされている。また、これらのおでん具材以外の組み合わせでもよいこと勿論である。
【００１５】
３は各種のおでん具材２を刺すための串であり、当該串３は竹製、木製などの棒状体に形成されている。その棒状体３の先端部分は鋭利性を有しないように加工されている。そのために後工程において包装材１内に封入した場合、流通段階において包装材１の破裂を防止することができる。４は味付け調味液であり、おでん具材２とともに包装材１内に注入されている。なお、図示の実施例においては、一本の串刺しおでん食品が封入されているが、２本入りや３本入りに形成しても良い。
【００１６】
上記の串刺しおでん食品を喫食する際には、湯中加熱するだけでよく、開封後にそのまま片手で食することができる。そのためにスポーツやイベントの観戦中であっても、あるいは縁日などの屋外においても簡便に喫食することができる。
【産業上の利用可能性】
【００１７】
本考案に係る串刺しおでん食品は、食生活の変化に対応したファーストフード感覚で、例えば野球やサッカー等のスポーツ観戦、縁日やイベント等の屋外において加熱電源を必要とすることなく簡単・手軽に片手で食することができる。
【図面の簡単な説明】
【００１８】
【図１】本考案に係る串刺しおでん食品の平面図である。
【符号の説明】
【００１９】
１  包装材
２  おでん具材
３  棒状体（串）
４  味付け調味液
【図１】
0003129104.tif 000003
(57)【要約】【課題】  本考案は近年増加する底鋲の無いバッグ類の底面の汚れを脱着自在の別付け底鋲付き底板をバッグ類に装着することにより汚れを防止する。【解決手段】  本考案はバッグ類本体とは別付けの底板本体１に汚れを防止するための底鋲２を取付け、底板の両端には、底板とバッグ類本体に密接に装着するため伸縮性のある３の織りゴムテープを付け、織りゴムテープの長さを調整するアジャスターであるコキ４を取り付け先端にはフック部としてナスカン５を取付ける。これらが一体化された底板をバッグ類本体にあらかじめ装着されている肩掛けベルト用の半月カン等に掛けることによりバッグ類本体に別付けの底鋲付き底板を装着することにより、バッグ類本体底面の汚れを防止することができる。【選択図】図１
0003129128.tif 000002
【実用新案登録請求の範囲】
【請求項１】
底面に底鋲のないバッグ類に対して、軽量な別付けの底鋲付き底板を設け、その両端に長さ調整機能を有する織りゴム部分とフック部分をそれぞれに設け、バッグ類本体にある肩掛け用の留め具や手提げ部分に、当該底板の両端のフックを掛け、当該底板をバッグ類底面に密接に装着することにより、バッグ類の底面部の汚れを防止する脱着自在な底鋲付き底板。
【考案の詳細な説明】
【技術分野】
【０００１】  本考案は、バッグ類を雨で濡れている床や、土足床等に直接置く際にバッグ類の底面の汚れを防止するための脱着自在の別付け底鋲付き底板に関するものである。
【背景技術】
【０００２】  近年、ビジネスバッグ等の素材には軽量化され防水性の優れたナイロン素材が多く用いられ製品化が進んでいる。一方、防水性の観点から底鋲の取付けがないビジネスバッグ等が増加している。底鋲がない場合、土足床等の衛生的でない床、道路等に置く時は、バッグ類の底面が直接接地することからバッグ類が汚れることに対する抵抗感があり、逆に、衛生的な室内に底面が汚れているバッグ類を置くことは不衛生であった。【０００３】  従来のバッグ類の底面部のよごれ防止技術としては、作動レバー連動式の装置や接地部反転式の装置等がある（例えば、特許文献１参照。）。また、バッグ類の底面部に後付汚れ防止フート・ネジ式ギボシと底板を施したものがある（例えば、特許文献２参照。）。
【特許文献１】  特開平１１−９３２６号  公報
【特許文献２】  特開２００６−１３０２５２号  公報
【考案の開示】
【考案が解決しようとする課題】
【０００４】  以上に述べた従来のバッグ類の底面部のよごれ防止技術では、大掛かりな装置をバッグ類に取り付けることは、軽量化された近年のビジネスバッグ等においては、バッグ本体の重量が増し軽量化機能を損ね、バッグ本来のデザインをも損ねる。一方、底鋲のないバッグを利用している利用者が、後付でバッグ類に直接、底鋲を取付けることは技術的な不安や購入したバッグに自ら穴をあけ底鋲と底板を取付けることには抵抗感がある。さらに、防水性の製品本来の機能を損ないかねない。また、いずれの場合も、一度取付けると取り外しにくく、バッグ類本体の汚れは防止したが防止装置等自体が汚れた場合衛生的な室内では取り外したくなるものである。従って、底鋲を付けた軽量な底板を別付けで簡易にバッグ類に自在に脱着することによりバッグ類の衛生的な接地と取り外しが可能となり、前述の欠点を解決しようとするものである。
【課題を解決するための手段】
【０００５】  本考案は、底面に底鋲のないバッグ類に対して、軽量な別付けの底鋲付き底板を設け、その両端に伸縮性があり、さらに長さ調整機能を有する織りゴム部分とフック部分をそれぞれに設け、バッグ類本体にある肩掛け用の留め具や手提げ部分に、当該底板の両端のフックを掛け、当該底板をバッグ類底面に装着することにより、バッグ類の底面部の汚れを防止する脱着自在な底鋲付き底板であり、バッグ底面を別付けの底鋲付き底板が密接に被うことにより問題点を解決している。
【考案の効果】
【０００６】  不衛生な土足床や、雨で濡れているような床、電車やバスの床等にバッグやかばんを直接に置かざるを得ないことが多いが、バッグ類に底鋲付き底板を別付けすることにより、バッグ類本体の底面が直接接地しないためかばん類の汚れ防止が期待できる。また、別付けのため防水性等のバッグ本来の製品としての機能を損ねることがない。さらに、底鋲付き底板はフックにより脱着自在なため、衛生的な室内においては取り外して、バッグ本体のきれいな底面で置くことができ、また、底板自体も洗うこともできるため、衛生的である。
【考案を実施するための最良の形態】
【０００７】  バッグの底面の長さに柔軟に対応できるように、また、軽量化のためにナイロンやビニール素材による底板に底鋲を取付け、底板とバッグ本体の底面が密接するように底板の両端に伸縮性があり、長さ調整機能としてのアジャスターを付けた織りゴムテープやゴムバンドをつなげ、それぞれの先端にはナスカン等のフックを取り付けることにより、バッグ本体の肩掛け用留め具や手提げ部などに脱着が可能となり、バッグの底が高くなり底鋲のないバッグ本体の底面を不潔な床に直接置かないため衛生的である。一方、衛生的な室内においては、底板を取り外すことにより、汚い床などに接地したわずかな底鋲部分ですら接地しなくて済み、衛生的である。
【実施例】
【０００８】  以下、添付図面に従って一実施例を説明する。１は防水性の高く軽量なナイロンやビニール素材による底板本体、２は汚れを防止するための底板に取付けられた底鋲、底板の両端には、底板とバッグ類本体に密接に装着するため伸縮性のある３の織りゴムテープを付け、さらに密着できるように織りゴムテープの長さを調整する４のアジャスターであるコキを取り付け先端にはフック部としてナスカンを取付ける。これらが一体化された底板をバッグ類本体６にあらかじめ装着されている肩掛けベルト用の半月カン７や丸カンに掛けることによりバッグ類本体に底鋲付き底板を装着する。【０００９】  前記底板本体の両端部分に設けたナスカン５はバッグ類本体との脱着が自在のため必要に応じて取付け、取り外しできる。すなわち、外出の時は取り付け、室内にバッグ類を置く時や底板を洗う時は取り外すことが可能である。
【産業上の利用可能性】
【００１０】  本考案は、ビジネスバッグのほか旅行バッグなどあらゆるバッグ類に利用が可能である。また、本考案の別付け底鋲付き底板をバッグ製品のオプション製品としてセット販売することも可能となる。
【図面の簡単な説明】
【００１１】
【図１】本考案の別付け汚れ防止底鋲付き底板の正面図である。
【図２】本考案の別付け汚れ防止底鋲付き底板の側面図である。
【図３】本考案の実施例を示す斜視図である。
【符号の説明】
【００１２】１  底板本体
２  底鋲
３  織りゴムテープ
４  アジャスターのコキ
５  ナスカン
６  バッグ類の本体
７  バッグ本体に装着されている半月カン
【図１】
0003129128.tif 000003
【図２】
0003129128.tif 000004
【図３】
0003129128.tif 000005
(57)【要約】【課題】この考案は、草履の鼻緒を正しい形状に保持し、併せて吸湿、吸臭させることを目的としたものである。【解決手段】この考案は、弾性材に通気性外皮を被着して鼻緒を支持できる形状とした紡錘形本体の一側に、草履の前坪を当接する割目を設けると共に、前記紡錘形本体内に、湿気及び臭気の吸着剤を収容したことを特徴とする草履用パッドにより、目的を達成した。【選択図】図１
0003129124.tif 000002
【実用新案登録請求の範囲】
【請求項１】
弾性材に通気性外皮を被着して鼻緒を支持できる形状とした紡錘形本体の一側に、草履の前坪を当接する割目を設けると共に、前記紡錘形本体内に、湿気及び臭気の吸着剤を収容したことを特徴とする草履用パッド。
【請求項２】
通気性外皮は、木綿織布としたことを特徴とする請求項１記載の草履用パッド。
【請求項３】
弾性材は、弾性ポリエステル綿又は発泡合成樹脂材としたことを特徴とする請求項１記載の草履用パッド。
【請求項４】
吸着剤は、活性炭粒又はシリカゲル粒の単独又は併用としたことを特徴とする請求項１記載の草履用パッド。
【請求項５】
割目は、草履の前坪を挟着保持できる形状としたことを特徴とする請求項１記載の草履用パッド。
【考案の詳細な説明】
【技術分野】
【０００１】
この考案は、草履の鼻緒の変形を防止し、併せて吸湿、吸臭性を付与することを目的とした草履用パッドに関する。
【背景技術】
【０００２】
従来靴の中へ収容して、靴の変形を防止する紡錘形の靴パッドが知られている。また、草履については、三箇所に窪み部を形成した立体保形具などの提案がある。
【特許文献１】実開平４−１５４０６
【特許文献２】特開２００４−５７２１４
【考案の開示】
【考案が解決しようとする課題】
【０００３】
従来草履の鼻緒については、三箇所に窪み部を形成した立体保形具（特許文献１）又は鼻緒の接する面に窪みを設け、又は鼻緒の収まる溝を設けたインフレーション保形体の提案がある（特許文献２）。前記特許文献１、２の発明・考案には草履が濡れた際などに、これを有効に除去できる手段がなく、干布で拭く程度であり、草履の保存には不十分となる問題点があった。
【０００４】
また前記公知例は、販売時には、鼻緒の変形を防止しているが、個人が使用した際には、往々気配りが不十分の為に、変形し易い問題点があり、特に濡れた場合の処置も不十分になるなどの問題点があった。
【課題を解決するための手段】
【０００５】
この考案は、通気性外皮を被着した鼻緒を支持し得る形状の弾性紡錘形本体内に、吸湿剤などを封入すると共に、一側に草履の前坪を挿入する割目を設けたので、装着簡単で鼻緒を正しい形状に保持し、しかも吸湿、吸臭効果があり、更に装着後位置の保全が確実であるなど、前記従来の問題点を悉く解決したのである。
【０００６】
即ちこの考案は、弾性材に通気性外皮を被着して鼻緒を支持できる形状とした紡錘形本体の一側に、草履の前坪を当接する割目を設けると共に、前記紡錘形本体内に、湿気及び臭気の吸着剤を収容したことを特徴とする草履用パッドであり、通気性外皮は、木綿織布としたものである。
【０００７】
また他の考案は、弾性材は、弾性ポリエステル綿又は発泡合成樹脂材としたものであり、吸着剤は、活性炭粒又はシリカゲル粒の単独又は併用としたものであり、割目は、草履の前坪を挟着保持できる形状としたものである。
【０００８】
前記弾性材としてのポリエステル綿は、複数個に丸めて使用すれば、より確実に適度の弾力を保持することができる。
【０００９】
前記吸湿剤・吸臭剤は、活性炭粒又はシリカゲル粒を適量（例えば１０ｇ位）通気性袋内に封入し、これを前記弾性材内に収容する。
【００１０】
前記ポリエステル綿に代えて発泡合成樹脂（例えば連続気泡のポリエチレン、ポリプロピレンその他）を用いることもできる。
【００１１】
前記草履用パッドは、割目を後方に向けて靴パッドとして使用することもできるので、形状構造が同一又は類似すれば、靴パッド用についてもこの考案の技術的範囲に属する。
【００１２】
この考案において、パッドの外皮として木綿織布を用いたが、鼻緒の材質（例えば絹又は皮革その他）に良好に対応し、かつ色彩、模様がつけ易く、装着も容易である。
【００１３】
また草履を着用中に、濡れたり、臭気がつくことがあるが、この考案のパッドを使用すれば、鼻緒の形状を保つと共に、湿気及び臭気も吸着除去することができる。
【考案の効果】
【００１４】
この考案によれば、草履の鼻緒（又は靴）を正しい形状に保持し得ると共に、吸臭、吸湿し、また黴の発生を防止できるなど、良好に保存し得る効果がある。また割目を設けたので、使用者が通常の注意力でもって鼻緒に確実に装着され、通常の取扱中にパッドが脱落するおそれがないなどの効果がある。
【００１５】
更にこの考案のパッドは弾性、吸湿性等の劣化が少なく、長く同一性能で使用することができる効果がある。
【考案を実施するための最良の形態】
【００１６】
この考案は、鼻緒を正しい形状とすべくポリエステル綿よりなる弾性材を適量宛丸めて環状にし、かつその複数個を木綿織布の外皮で被包して紡錘形本体とし、その一側に草履の前坪を嵌める割目を設ける。また前記弾性材の内部へ、活性炭粒及びシリカゲル粒を封入してこの考案の草履用パッドを得た。
【実施例１】
【００１７】
この考案の実施例を図１、２について説明すると、ポリエステル綿１を複数の塊状１ａにまとめて、木綿布２よりなる割目７付で側面が紡錘形となる袋３内へ収容し、前記ポリエステル綿１内へ、通気性袋４に活性炭粒と、シリカゲル粒の同量混合粒５を封入した袋入り乾燥剤６を収容して、この考案のパッド１０を構成した。前記ポリエステル綿を塊状にまとめると、弾性限が大きくなり、弾性劣化が生じ難い利点がある。
【００１８】
このパッド１０を、草履８上の鼻緒９の下へ挿入し、前記割目７へ、鼻緒の前坪９ａを入れると、パッドを確実に装着できる（図２）。
【００１９】
従って草履８を動かしても通常の外力ではパッド１０が脱落するおそれはない。また鼻緒、草履台などが濡れている場合には、前記吸湿剤により湿気を吸収してこれを乾燥することができる。また臭気が着いた場合も脱臭することができる。
【図面の簡単な説明】
【００２０】
【図１】（ａ）この考案の実施例の平面図、（ｂ）同じく一部を切断した側面図。
【図２】同じく使用状態を示す一部を省略した斜視図。
【符号の説明】
【００２１】
１  ポリエステル綿
２  木綿布
３  袋
４  通気性袋
５  混合粒
６  袋入り乾燥剤
７  割目
８  草履
９  鼻緒
１０  パッド
【図１】
0003129124.tif 000003
【図２】
0003129124.tif 000004
【手続補正書】
【提出日】平成18年11月16日(2006.11.16)
【手続補正１】
【補正対象書類名】実用新案登録請求の範囲
【補正対象項目名】請求項５
【補正方法】変更
【補正の内容】
【請求項５】
割目は、草履の前坪が嵌る形状としたことを特徴とする請求項１記載の草履用パッド。
(57)【要約】【課題】  広いテーブルは、足がついたかさばる容積を持ち、一般の狭い部屋では場所を取るので必要としながらも所有しずらい不便さがある。そこで、小さな補助テーブルとしても使用できる作業などの箱と、薄くて軽いボードを常備しておき、必要に応じて連結部材で連結して安定した広いテーブルとして使用できるようにする。【解決手段】  両側面板と、底板、天板で箱体１を構成し、天板上面の四隅部に突起を設けあるいは両側面板の上部を天板面から突出させた状態にして、天板中央部に設けた結合点と別体のボード２の中央に設けた結合点を、連結部材３を介して連結することでテーブルとする。ボード２をはずすと箱体１はそのまま使用できる状態にする。【選択図】図１
0003129130.tif 000002
【実用新案登録請求の範囲】
【請求項１】
両側面板と、底板、天板で箱体（１）を構成し、天板上面の四隅部に突起を設けあるいは両側面板の上部を天板面から突出させた状態にして、天板中央部に別体のボード（２）を連結する結合点を設けたことを特徴とする、仕込みボックス。
【請求項２】
箱体（１）の天板中央部に設けた結合点と、別体のボード（２）の中央部に設けた結合点を、連結部材（３）を介して連結した、請求項１記載の仕込みボックス。
【請求項３】
上下面を水平にした柱状駒の中心軸を貫通した状態でボルトを取りつけて連結部材（３）とした、請求項２記載の仕込みボックス。
【考案の詳細な説明】
【技術分野】
【０００１】  この考案は、主として室内で使用する作業などの箱、あるいはテーブルとして使用する、仕込みボックスに関するものである。
【背景技術】
【０００２】  従来のものは、箱は箱のみで独立し、テーブルは足がついた状態で独立している。
【考案の開示】
【考案が解決しようとする課題】
【０００３】  広いテーブルは、足がついたかさばる容積を持ち、一般の狭い部屋では場所を取るので必要としながらも所有しずらい不便さがあった。一方、広いテーブル板を用意して一般的な箱の上に設置しようとしても安定を欠き、使用に耐えられない。そこで、小さな補助テーブルとしても使用できる作業などの箱と、薄くて軽いボードを常備しておき、必要に応じて連結部材で連結することで安定した広いテーブルとして使用できるようにする。この考案は上記のような技術を提供することを目的としている。
【課題を解決するための手段】
【０００４】  この考案は、上記課題に対して次のような手段を取っている。即ち、両側面板と、底板、天板で箱体を構成し、天板上面の四隅部に突起を設けあるいは両側面板の上部を天板面から突出させた状態にして、天板中央部に設けた結合点と別体のボードの中央部に設けた結合点を、連結部材を介して連結することでテーブルとする。ボードをはずすと箱体はそのまま使用できる状態にする。即ち、ボードは無くても、箱体だけで使用できる。ボードの外側をシートで包むことで、ボードの材質は種々のものを使用できる。
【考案の効果】
【０００５】  この考案によると、全体構成が極めてシンプルで、箱体は単独で補助テーブル的な使用を含めた作業などの箱として使用できる。ボードは片側の中央部に極めて小さな結合点を設けているのみで、同様に箱体の天板中央部の結合点も極めて小さく、テーブル面として単独で使用する場合でも支障にならない。箱体とボードの連結手法は簡単で、箱体の両側面板の突出部であるいは四隅部の突起でボードを受けながら、ボード中央部の結合点と天板中央部の結合点を連結部材で合せてしめつけるだけで、なによりも安定した広いテーブル面を確保できる。箱体の両側面板の上部突出部あるいは天板四隅部の突起と、連結部材の柱状駒の上下水平面が、箱体とボードを一体に固定して安定させる効果を発揮する。
【考案を実施するための最良の形態】
【０００６】  全体構成は極めてシンプルである。以下実施例を、図面により説明する。
図１は、箱体１とボード２を連結部材３を介して連結して広いテーブルとする仕組みを示す、実施例の斜視図である。連結部材３は、上下面を水平にした円柱型の柱状駒とし、中心軸を貫通した状態でボルトを取りつけ、云わばコマのかたちをしていて連結部材全体をひとかたまりにして安定させている。箱体１とボード２を一体に連結するには、先ずボード２の中央部に設けた結合点のボルト穴に連結部材３の一方のボルトを挿入して固定して、箱体１の両側面板の突出部４でボード２を受けながら連結部材３のもう一方のボルトを天板中央部にある結合点の貫通穴に挿入して、裏側で蝶ナットによって締めつける。箱体１の底板四隅にはキャスター５を取りつけ、移動自在の使用に供している。ボード２は外側をシートで包んでいるので、箱体１との一体連結にもなじみが良い。
なお、通常はボード２は別体にして取りはずし、箱体１のみをそのまま小さな補助テーブルあるいは作業などの箱として使用する。
【図面の簡単な説明】
【０００７】
【図１】  本考案の実施例を示す斜視図である。
【符号の説明】
【０００８】    １    箱体
２    ボード
３    連結部材
【図１】
0003129130.tif 000003
(57)【要約】【課題】  箱詰め作業における開閉蓋の固定を容易にすると共に、開口した箱を整然と積み重ねることを可能とするクリップを提供する。【解決手段】  クリップ形状を一方が開放した複数の脚で構成し、他方にはそれらの脚を接合し、他の箱の底部隅を受け止められる平坦な横梁及びその両側に突起部を設けた。【選択図】図１
0003129121.tif 000002
【実用新案登録請求の範囲】
【請求項１】
箱体における蓋板を外側に折り曲げ、且つ側板に重ねて仮止めとておくためのクリップであって、箱体の隅部において、その外側の少なくとも２本の脚を箱体の外側に、及び中間の少なくとも１本の脚を箱体の内側に差し込むことにより、
箱体の隅部と三角形を形成し、箱体の蓋部を仮止めでき、且つ箱体の４つの隅部に配置することにより、複数の箱体を重ねることが可能な台座を形成できる、
垂直方向の少なくとも３本の脚とそれらを接合する上部の横梁からなる箱体用クリップ。
【請求項２】
垂直方向の３本の脚及びそれらを接合する上部の横梁からなり、開放した脚部に対し、横梁の反対面が平坦であり、且つ平坦部の両側に２つの突起を有し、重ねた上部の箱の底部隅を横ブレせず固定できる箱体用クリップ。
【考案の詳細な説明】
【技術分野】
【０００１】  本考案は、収納物の出し入れの作業に際し、箱体の蓋板を外方に折り曲げ、且つ側板に重ねて仮止めするためのクリップ及び箱体の四隅に配置することにより複数の開口した箱体を重ねることが可能な台座を形成するクリップに関する。
【背景技術】
【０００２】  従来、段ボール箱等に物品を箱詰めする場合、観音開きの開閉蓋をガムテープ等で固定する、或いは二重板構造のクリップで仮止めして、箱詰め作業を容易にしていた。
また開口した箱は整然と積み重ねることが困難で、床面に広げて置かれていた。
【考案の開示】
【考案が解決しようとする課題】
【０００３】  従来の箱詰め作業におけるガムテープ或いは二重板構造のクリップによる固定は、開閉蓋の固定及び開放に手間がかかり、この結果作業能率を向上させ難いという不都合を有した。
又開口した箱を床面に並べるため広い空間を必要とし、作業現場が乱雑になり易いという不都合も有していた。【０００４】  本考案の課題はかかる不都合を解消することにある。
【課題を解決するための手段】
【０００５】  本考案では上記課題を解決するために、この考案に係る箱体の蓋部用クリップにおいては、クリップ形状を一方が開放した複数の脚で構成し、他方にはそれらの脚を接合し、箱体の底部隅を受け止められる平坦な横梁を配置した。【０００６】  本考案によるクリップにおいては、箱体の隅と三角形を形成するよう、且つ上面から見たとき側面に対し線状ではなく点状で差し込まれる。
【考案の効果】
【０００７】  本考案によりクリップは上記のように構成されているため、箱体を形成する材料の厚みや硬さの影響を全く受けず、容易に箱体に差し込むことができ、安定に開閉蓋を仮止めできる。また薄板材料からなる箱体、例えば薄い材質の紙箱、プラスチック箱等に対しても同じように適用できる。二重板構造のクリップが材料の厚みで作業性が左右されるのと比較し、本考案の１つの特徴となっている。
更に、本考案によるクリップの第二の優位点は、箱体の四隅に配置されたクリップは、箱体の隅で二辺に跨って斜めに交叉しており、且つ上面が平坦で、両側に設けた突起の存在により、開口したままの箱体を複数個横ぶれ無しに固定して積み重ねることが可能な点にある。箱体は空の状態でもよいし、内容物を充填した状態でもよい。箱体を整然と積み重ねることで、乱雑になり易い平面置きの問題が解消され、不要な空間も必要でなくなった。作業能率の向上も図れた。
本考案によるクリップの第三の優位点は、このクリップにプレート或いはメモ用紙を挟めることである。プレートには箱体に充填した内容物、輸送先等の表示が可能で、これも作業能率の向上に繋げることができる。
【考案を実施するための最良の形態】
【０００８】  図１〜図３に本考案の実施例の１つを示す。本考案のクリップ１は、図１に示すように複数の脚２，３を有し、それらを横梁４で接合している。脚３の端部が緩やかな曲面を作っているのに対し、脚２の開放した側の先端はやや鋭角であり、脚３より長く伸びている。横梁４の上面４’は平坦である。
このクリップ１はプラスチックの成形により得られ、ポリプロピレン、ポリエチレン、ポリオレフィン系エラストマー等柔軟性のある材料を用いることが好ましい。
図２に示すようにクリップ１は箱体５の開閉蓋６を箱体５の四隅で仮止めする。このときクリップ１の脚２は箱体の外側に、脚３は箱体の内側に差し込まれ、箱体５の隅の二辺とクリップ１の横梁４とは三角形８を形成する。
その四隅にクリップ１を配置した箱体５は、開口した状態で図３に示すように積み重ねることができる。この積み重ねの際には、上気した箱体５の隅の二辺に交叉した横梁が他の箱体底部の隅を支える台座として有効に作用している。
クリップ１には図３に示すように表示のためのプレート７を挟み込むことができ、内容物の確認、配送先の確認等が容易に実施できる。
【実施例】
【０００９】  ポリプロピレン樹脂の成形により図１に示すクリップ１を得た。脚２は１０ｍｍφ径×８５ｍｍ長、脚３は１０ｍｍφ径×６０ｍｍ長であり、脚２の先端から１５ｍｍ離れた位置に１０ｍｍ巾×１０ｍｍ高さの横梁が配置されている。このクリップ１を箱体５の隅近傍で箱体５及びその開閉蓋６の上から差し込む。操作は単純で、クリップ１は容易に差し込まれ、開閉蓋６を仮止めできた。四隅にクリップ１を備えた同じサイズの空の箱体５を５個積み重ねたところ、これら箱体を乱雑になることなく、整然と、しかも簡単に積み重ねることができた。
【産業上の利用可能性】
【００１０】  例えばダンボール箱に内容物を収納して保管、輸送する各種製造業、商品の保管、詰め替え、輸送を行う商社、小売業等で利用価値がある。
【図面の簡単な説明】
【００１１】
【図１】  本考案におけるクリップの一実施例の概略説明図である。
【図２】  本考案のクリップを用いて箱体の開閉蓋を仮止めした概略説明図である。
【図３】  本考案のクリップを利用して、開口した箱体を積み重ねたところの概略説明図である。
【符号の説明】
【００１２】  １      クリップ
２      脚
３      脚
４      横梁
４’    横梁の上面
５      箱体
６      箱体の開閉蓋
７      表示用のプレート
８      箱体の隅の二辺と横梁とで作る三角形
９      突起部分
【図１】
0003129121.tif 000003
【図２】
0003129121.tif 000004
【図３】
0003129121.tif 000005
(57)【要約】【課題】  スポーツ用自転車等のファッショナブルな自転車にもバッグを違和感なく体裁よく取り付けることができ、且つ、バッグの価値を充分表現することができる自転車用バッグの取付装置を提供すること。【解決手段】  自転車のハンドル左右に一対のフックを取り付け、バッグの背面側の前記フックと対応する個所にフックの受け金具を取り付けたことを特徴とする。【選択図】図１
0003129125.tif 000002
【実用新案登録請求の範囲】
【請求項１】
自転車のハンドル左右に一対のフックを取り付け、バッグの背面側の前記フックと対応する個所にフックの受け金具を取り付けたことを特徴とする自転車用バッグの取付装置。
【考案の詳細な説明】
【技術分野】
【０００１】  本考案は、自転車のハンドルに取り付けられる体裁の良い自転車用バッグの取付装置に関するものである。
【背景技術】
【０００２】  従来から防犯のための自転車用バッグの取付装置として、特開２０００−１６８６５４号公報に記載されるバッグの固定装置があるが、この装置はバッグの底面に取付けられる掛止体と、バッグが載置される載置面に取付けられて上記掛止体をロックすることによりバッグを載置面に固定するロック機構とから成り、ロック機構は、掛止体を受け入れる溝部を有する受け体と、ロッド本体の先端部に傾斜面を有するとともにバネ材によって上記傾斜面が受け体の溝内を横切るロック位置に付勢され、傾斜面に上記掛止体が上方から接触して押圧したときに先端部がバネ材の付勢力に抗して受け体の溝内から退避する一方、掛止体が溝内に嵌まり込んだときに上記バネ体の付勢力によって先端部がロック位置に復帰して掛止体を溝内にロックする作動ロッドと、作動ロッドをロック位置から退避位置に強制的に退避させる解除部材とを備えた構造をしたものであった。
【特許文献】  特開２０００−１６８６５４公報
【考案の開示】
【考案が解決しようとする課題】
【０００３】  このような構造の自転車用バッグの取付装置は確かにバッグの盗難防止効果はあるが、バッグの底面に掛止体を取付けておく必要があり、通常の使用に際してはバッグの底面の掛止体が邪魔になって床に立てた状態では置けず、また、横に置いても掛止体が見えて体裁が悪いという問題点があり、更に、この装置は載置面に相当する荷受け籠を構成要件とするので、荷受け籠のない自転車では使用できないだけでなく、荷受け籠を取り付ければスポーツ用自転車等のファッショナブルな自転車では違和感が生じて体裁が悪く、また、折角の高級感のあるバッグを載置しても荷受け籠の存在によってその高級感が減衰されてその価値を表現できない等の問題点によって現在殆ど実施されておらない。
【考案の目的】
【０００５】  本考案は、上記問題点を解消するために、スポーツ用自転車等のファッショナブルな自転車にもバッグを違和感なく体裁よく取り付けることができ、且つ、バッグの価値を充分表現することができる自転車用バッグの取付装置を提供することを目的とするものである。
【課題を解決するための手段】
【０００６】  本考案に係る自転車用バッグの取付装置は、自転車のハンドル左右に一対のフックを取り付け、バッグの背面側の前記フックと対応する個所にフックの受け金具を取り付けたことを特徴とするものである。
【考案を実施するための最良の形態】
【０００７】  図１は、本考案の装置によってバッグを自転車に取り付ける状態を表す斜視図、図２（ａ）、（ｂ）は、フックの斜視図、図３は、バッグの背面側にフックの受け金具を取り付けた状態を表す斜視図、図４は、本考案の装置によってバッグを自転車に取り付けた状態を表す斜視図である。【０００８】  図において、１は、自転車、２は、ハンドル、３は、バッグである。【０００９】  ４は、バッグ３を取り付けるためのフックであって、フック４に固定の取付金具４−１をハンドル２を構成するパイプの左右にボルト・ナットで取り付けてある。【００１０】  フック４は、図２（ａ）の４ａ部分を押すことによってスプリング（図示せず）の復元力に抗して図２（ｂ）のように傾き、離せば元の図２（ａ）の状態に戻る公知の外れ止め付きフックであることが好ましい。【００１１】  また、本実施例ではボルト・ナットで固定する取付金具４−１を使用したが、皮製のバンド等を使用すれば更にファッシヨン性を高めることもできるものである。【００１２】  ５は、バッグ３の背面側の前記フック４と対応する個所に取り付けられたフックの受け金具であって、取付時に起こして使用できるようにしてある。【００１３】  自転車１にバッグ３を取り付ける場合は、バッグ３の背面側のフックの受け金具５、５をフック４、４の４ａ部分を押すように入れてやれば、受け金具５、５がフック４、４に係合してバッグ３はハンドル２に取り付けられる。【００１４】  バッグ３を取り外す場合は、フック４、４の４ａ部分を押すだけで簡単に取り外すことができる。
【発明の効果】
【００１５】  本考案に係る自転車用バッグの取付装置によれば、自転車のハンドル左右に一対のフックを取り付け、バッグの背面側の前記フックと対応する個所にフックの受け金具を取り付けたものであるから、防犯性に優れることはもとよりスポーツ用自転車等のファッショナブルな自転車にもバッグを体裁よく取り付けることができ、且つ、バッグの価値を充分表現することができるものである。
【００１６】  また、バッグを自転車の種類や形態にマッチさせて製作することによって自転車のファッション性を高めることができ、自転車用バッグの購買意欲を促進するという経済的な効果もある。
【００１７】  更に、バッグにはフックの受け金具を取り付けるだけでよいので、既存のバッグを自転車用バッグにすることができて便利であり、フックの受け金具にベルトを付けることによってショルダーバッグにもなる等利用範囲を広げることができるものである。
【図面の簡単な説明】
【００１８】
【図１】  本考案の装置によってバッグを自転車に取り付ける状態を表す斜視図である。
【図２】  フックの斜視図である。
【図３】  バッグの背面側にフックの受け金具を取り付けた状態を表す斜視図である。
【図４】  本考案の装置によってバッグを自転車に取り付けた状態を表す斜視図である。
【符号の説明】
【００１９】    １      自転車
２      ハンドル
３      バッグ
４      フック
５      フックの受け金具
【図１】
0003129125.tif 000003
【図２】
0003129125.tif 000004
【図３】
0003129125.tif 000005
【図４】
0003129125.tif 000006
(57)【要約】【課題】水晶および他の天然石などのお守りが各個人の生まれながらに持つ運気や気質に対し、きめ細かく対応していない不都合の解消等。【解決手段】水晶および他の天然石などを素材とするお守りの構成、形状、およびそれらの組合せ配列を個人の生年月日や方位・色などを考慮しつつ風水の法則に則って決定し、各個人の運気を高めるに最適なお守りを実現することでこの課題を解決する。【選択図】図１
0003129133.tif 000002
【実用新案登録請求の範囲】
【請求項１】
水晶および他の天然石を風水の法則に則って方位や色および生年月日などを考慮しつつ選択して組み合わせ、複数個を直列に接続した形状のお守り。
【考案の詳細な説明】
【技術分野】
【０００１】本考案は、水晶および他の天然石などを素材とするお守りに関するものである。
【背景技術】
【０００２】従来、この種のお守りではその素材構成・配列や形状などに風水による特別な配慮はなされていなかった。
【考案の開示】
【考案が解決しようとする課題】
【０００３】従って、従来のこの種のお守りは、各個人が生まれながらに持つ運気や気質に対し、きめ細かく対応していない。
【課題を解決するための手段】
【０００４】そこで、水晶および他の天然石を素材とするお守りの構成、形状、およびそれらの配列を個人の生年月日や方位・色などを考慮しつつ風水の法則に則って決定する。
【考案の効果】
【０００５】本考案の風水の法則に則って作られたお守りは、各個人の運気を最大限に引き出す効果をもたらすと共に、取り付けられた室内や車内の空間に彩をそえるワンポイント・アクセサリーとして楽しむことが可能となる。
【考案を実施するための最良の形態】
【０００６】本考案に係わる風水お守りは図１に示すように、複数の水晶や他の天然石からなる素材部、各素材をつなぐ連結部、および吊り下げて取り付けるための吊下げ部によって構成される。連結部の材料は環状成形された細い金属棒が望ましく、また吊下げ部の材料には紐状の化学繊維が望ましい。
【図面の簡単な説明】
【０００７】
【図１】  本考案に係わる、風水お守りを吊り下げた状態の平面図である。
【符号の説明】
【０００８】  １    吊下げ部
２    連結部
３    素材部
【図１】
0003129133.tif 000003